(57)【特許請求の範囲】
【請求項１】
気体導入管と液体導入管を有しこれらの導入管から導入される気体と液体を混合する気液混合部と、該気液混合部の先端部に接続され気液混合部で混合された気体と液体を霧状の液体として噴射する噴出部とを備えた二流体噴霧装置において、
前記気体導入管と液体導入管にそれぞれ剛性を有する配管が接続され、それらの配管には、それぞれ、軸を有し、かつその軸に取り付けられた操作レバーによって同時に回動操作されて各配管の管路を開閉する開閉弁が設けられていることを特徴とする二流体噴霧装置。
【請求項２】
前記各配管は、途中が下側へ鈍角に折り曲げられ、この折り曲げ部より下流側の先端管と上流側の基端管とからなっていることを特徴とする請求項１に記載の二流体噴霧装置。
【請求項３】
前記開閉弁が、前記各配管の先端管の前記折り曲げ部に近い位置に設けられていることを特徴とする請求項２に記載の二流体噴霧装置。
【発明の詳細な説明】
【０００１】
【発明の属する技術分野】
本発明は、二流体消火装置に使用し、液体供給源と気体供給源から圧送される液体と気体を混合して霧状の水として噴射する二流体噴霧装置に関するのものである。
【０００２】
【従来の技術】
液体と気体を同時に二流体ノズルに圧送して霧状の液体を噴射し、この霧状の液体を火災現場の火元に散布して消火する二流体消火装置として、図９に示すものを本願の出願人が特願平１０−２７０８２９号によって既に提案した。
この二流体消火装置１００は、コンプレッサー１０１と、ポンプ１０２と、二流体ノズル１０３と、ホース１０４，１０５と、二重ホース１０６とを備え、コンプレッサー１０１で空気を圧縮してホース１０４、二重ホース１０６を通して二流体ノズル１０３に圧送すると共に、ポンプ１０２で消火水槽等の貯水槽１０７に貯えられている水を汲み上げてホース１０５、二重ホース１０６を通して二流体ノズル１０３に圧送し、該二流体ノズル１０３で加圧水と圧縮空気を混合して噴霧口１０８から霧状の水１０９を火元の火炎に散布して消火を行うようになっている。
この二流体消火装置１００によると、水のみを用いて消火する装置に比べて、霧状の水が二流体ノズルから勢い強く噴射して、遠方の火元まで到達されると共に、少量の水による火炎の温度降下と、二流体ノズル１０３からの空気の噴射による吹き消し作用が効果的に行われるので、水を節約でき、水損を可及的に少なくして迅速な消火が可能である。
【０００３】
【発明が解決しようとする課題】
しかしながら、前記二流体消火装置１００の二流体ノズル１０３は、二流体を混合して霧状の液体を火元に噴射するための基本的な構成要素を有するものの、消火に際して、消防員等が容易に操作でき、消火作業を迅速、的確に行うための具体的な構成を備えていない。
【０００４】
本発明は、上記事情に鑑みてなされたものであって、軽量、小型で、容易に操作が行え、消火作業を迅速、的確に行うことができる二流体噴霧装置を提供することを目的とする。
【０００５】
【課題を解決するための手段】
本発明は、前記課題を解決するために、以下の点を特徴としている。
すなわち、請求項１に係る二流体噴霧装置は、気体導入管と液体導入管を有しこれらの導入管から導入される気体と液体を混合する気液混合部と、該気液混合部の先端部に接続され気液混合部で混合された気体と液体を霧状の液体として噴射する噴出部とを備えた二流体噴霧装置において、前記気体導入管と液体導入管にそれぞれ剛性を有する配管が接続され、それらの配管には、それぞれ、軸を有し、かつその軸に取り付けられた操作レバーによって同時に回動操作されて各配管の管路を開閉する開閉弁が設けられていることを特徴としている。
【０００６】
請求項２に係る二流体噴霧装置は、請求項１に記載の装置において、各配管は、途中が下側へ鈍角に折り曲げられ、この折り曲げ部より下流側の先端管と上流側の基端管とからなっていることを特徴としている。
【０００７】
請求項３に係る二流体噴霧装置は、請求項２に記載の装置において、開閉弁が、各配管の先端管の折り曲げ部に近い位置に設けられていることを特徴としている。
【０００８】
【発明の実施の形態】
以下、本発明の一実施の形態に係る二流体噴霧装置を図１、図２を参照して説明する。
図１、図２は本発明の一実施の形態に係る二流体噴霧装置１を示す。この二流体噴霧装置１は、空気（気体）と水（液体）を混合する気液混合部２と、該気液混合部２で混合された空気と水を霧状の水として噴射する噴出部３と、前記気液混合部２に気体および液体を供給する剛性を有する気体配管４および液体配管５と、それらの配管４，５の管路をそれぞれ開閉する開閉弁６，７とを備えている。
【０００９】
前記気液混合部２は、先端側（下流側）を先細のテーパ状部８ａとした円筒状の混合部本体８と、該混合部本体８の内部に混合部本体８と同軸線上に配置され、混合部本体８の基端側（上流側）の閉鎖端部８ｂに固定されている気体導入管９と、混合部本体８の下部に固定され混合部本体８の内部に開口された液体導入管１０とから形成されている。
前記噴出部３は、先端側が先細のテーパ状部３ａとした円筒状部材からなり、基端部が前記気液混合部２のテーパ状部８ａの先端部にネジ等により接続されている。
【００１０】
また、前記気体導入管９は、先端部の先細のテーパ筒部９ａを混合部本体８のテーパ状部８ａの近くに開口させた円筒部材からなり、混合部本体８の閉鎖端部８ｂから外側に突出した基端部には、前記気体配管４の先端部（下流側端部）が接続されている。
前記液体導入管１０は、Ｌ字状に折曲された筒部材からなり、先端側を混合部本体８の外周部に固定されて先端の開口１０ａを混合部本体８の内部に連通され、基端部には前記液体配管５の先端部（下流側端部）が接続されている。
【００１１】
前記気体配管４と液体配管５は、図１に示すように、気体配管４を上に液体配管５を下にして略平行な状態とされ、それらの略中間部が下側に折り曲げられ、各折り曲げ部４ａ，５ａより基端側（上流側）が傾斜管部（基端管）４ｂ，５ｂとされ、各折り曲げ部４ａ，５ａより気液混合部２に接続する先端側（下流側）が水平管部（先端管）４ｃ，５ｃとされている。そして、前記傾斜管部４ｂ，５ｂの基端部（上流側端部）に、気体供給源と液体供給源に接続された気体ホースと液体ホースにワンタッチで着脱可能な管継手１１，１２がそれぞれ取り付けられ、各水平管部４ｃ，５ｃにおける折り曲げ部４ａ，５ａに近い位置に前記各開閉弁６，７がそれぞれ設けられている。
なお、前記各折り曲げ部４ａ，５ａは、それらの凹部側における傾斜管部４ｂ，５ｂと水平管部４ｃ，４ｃとのなす角度が９０°以上、好ましくは１３５°前後となっており、凸部側が鈍角となっている。
【００１２】
前記開閉弁６，７は、ボールバルブ、バタフライバルブ等からなり、それらの弁箱６ａ，７ａから外側に互いに対向するように突き出した弁軸６ｂ，７ｂに操作金具１３ａ，１３ｂが取り付けられ、該操作金具１３ａ，１３ｂに１つの操作レバー１３が固定して設けられており、該操作レバー１３を手動で閉位置ａと開位置ｂとの間で矢印イで示す水平方向（図２参照）に回動操作すると、気体配管４と液体配管５の管路が同時に開閉されるようになっている。
そして、前記開閉弁６および開閉弁７の一方と操作レバー１３との間には、該操作レバー１３を閉位置ａと開位置ｂで停止させるストッパ（図示せず）が設けられると共に、操作レバー１３を常時弱い力で閉位置ａ側へ付勢するバネ等の付勢手段（図示せず）が設けられている。
【００１３】
なお、液体配管５の傾斜管部５ｂは、気体配管４の傾斜管部４ｂに接触させるように曲げられて凹所５ｄが設けられ、二流体噴霧装置１を片手で適度に把握できるようにされている。また、前記二流体噴霧装置１には、必要に応じて、操作レバー１３の操作に支障が生じないようにして、気液混合部２と気体配管４と液体配管５を囲む合成樹脂、ゴム製等のカバーＣを設けることができる。
【００１４】
前記構成の二流体噴霧装置１を二流体消火装置に使用して火災の消火を行う場合には、例えば、図３に示すように、背負い式の空気ボンベ（気体供給源）１４に接続された気体ホース１４ａの先端を、前記気体配管４の傾斜管部４ｂに管継手１１を介して接続すると共に、気体ホース１４ａに沿わせて設けた液体ホース１５ａの先端を前記液体配管５の傾斜管部５ｂに管継手１２を介して接続し、さらに、液体ホース１５ａの基端を、連結送水管、屋内消火栓、消防車の送水管等の水供給源（液体供給源）１５に接続されて空気ボンベ１４まで延長された延長液体ホース１５ｂに接続する。
【００１５】
そして、空気ボンベ１４と水供給源１５とから空気と水を二流体噴霧装置１に対し供給状態にしておき、前記気体配管４と液体配管５の水平管部４ｃ，５ｃを一方の片手で持ち他方の片手で各配管４，５の傾斜管部４ｂ，５ｂを持って噴出部３を火災の火元に向けた後、一方の片手で開閉弁６，７の操作レバー１３を閉位置ａから開位置ｂへ回動操作する。これにより、気体配管４と液体配管５の管路が同時に開放されて、気液混合部２で空気と水が混合されて瞬時に霧状の水となって勢い強く火元に噴射されて火災が消火される。
【００１６】
前記実施の形態に係る二流体噴霧装置１によれば、気体配管４と液体配管５の途中に設けた各開閉弁６，７を同時に開くことにより、気液混合部２で混合された空気と水を、噴射部３で瞬時に火災の消火に効果的な霧状の水を形成して勢い強く噴射させることができる。
【００１７】
また、気液混合部２に接続され、それから上流側に延長して設けられた気体配管４と液体配管５が平行にされて下側に折り曲げられているので、それらの配管４，５が放水銃のように一方の片手で握りやすい適度の太さになり、二流体噴霧装置１の支持が確実に行え、操作がし易いと共に、各配管４，５の途中が下側に折り曲げられていることにより、各配管４，５に接続される気体ホースと液体ホースが垂れ下がっても、その垂れ下がりを各配管４，５の各傾斜管部４ｂ，５ｂが無理なく許容する（各ホース１４ａ，１５ａの先端部の接線方向に傾斜管部４ｂの傾斜を略一致させることができる）ので、二流体消火装置１を手で楽に支持して火災の状況に応じて自由に操作することができる。
【００１８】
なお、前記二流体噴霧装置１においては、各配管４，５の折り曲げ部４ａ，５ａに近い水平管部４ｃ，５ｃにそれぞれ開閉弁６．７を設けたので、各水平管部４ｃ，５ｃを支持する一方の片手で各開閉弁６，７を操作レバー１３で簡単に操作できて好ましいが、各開閉弁６，７を設ける位置は、前記に限らず、各配管４，５の傾斜管部４ｃ，５ｃの管継手１１，１２に近いところに設けてもよい。
【００１９】
前記二流体噴霧装置１は、図３に示す二流体消火装置Ｆに限らず、その他の二流体消火装置にも使用することができる。
例えば、図４に示すように、可動式台車１６に空気ボンベ１４Ａ（気体供給源）を搭載すると共に、前記水供給源１５に接続可能な延長液体ホース１５ｂを有する二流体消火装置Ｆ１に、前記気体ホース１４ａと液体ホース１５ａを介して二流体噴霧装置１を接続して使用してもよく、また、図５に示すように、可動式台車に１６に空気ボンベ１４Ａと水タンク（液体供給源）１７を備え、空気ボンベ１４Ａ内の空気で水タンク１７内の水を押し出す形式の二流体消火装置Ｆ２に、前記気体ホース１４ａと液体ホース１５ａを介して二流体噴霧装置１を接続して使用してもよい。
【００２０】
また、図６に示すように、可搬式枠体１８に水タンク１９、コンプレッサー２０、ポンプ２１等を搭載し、コンプレッサー２０とポンプ２１とに連絡された延長気体ホース１４ｂと延長液体ホース１５ｂを備えた二流体消火装置Ｆ３に、前記気体ホース１４ａと液体ホース１５ａを介して二流体噴霧装置１を接続して使用してもよく、図７に示すように、空気ボンベ（気体供給源）２２を組み込んだ室内消火栓（液体供給源）２３と、延長気体ホース１４ｂおよび延長液体ホース１５ｂとを備えた二流体消火装置Ｆ４に、前記気体ホース１４ａと液体ホース１５ａを介して二流体噴霧装置１を接続して使用してもよい。
【００２１】
さらに、図８に示すように、水タンク（液体供給源）２４、空気ボンベ（気体供給源）２５、水タンク２４内の水を押し出す加圧用気体ボンベ２６を組み込んだパッケージ型室内消火栓と、水タンク２４と空気タンク２５に開閉バルブ２７を介して連絡されている延長気体ホース１４ｂと延長液体ホース１５ｂとを備えた二流体消火装置Ｆ５に、前記気体ホース１４ａと液体ホース１５ａを介して二流体噴霧装置１を接続して使用してもよい。
いずれの場合も、前記二流体消火装置Ｆに使用して消火する場合と同様にして二流体噴霧装置１の噴霧部３ａから霧状の水が的確に噴射して火元の火炎を速やかに消火することができる。
【００２２】
なお、前記実施の形態に係る二流体噴霧装置１を、気体として圧縮空気を液体として水をそれぞれ使用する二流体消火装置に用いる場合について説明したが、本発明はこれらに限ることなく、消火対象や火災現場の状況に応じて、気体として炭酸ガス、窒素ガス等の不燃性の気体を用いたり、液体として湿潤剤、消火効果を増す強化液等の薬液を混合させた水溶液を用いる二流体消火装置に用いることができる。
【００２３】
【発明の効果】
以上説明したように、本発明によれば以下の優れた効果を奏する。
請求項１に係る二流体噴霧装置によれば、気体導入管と液体導入管を有しこれらの導入管から導入される気体と液体を混合する気液混合部と、該気液混合部の先端部に接続され気液混合部で混合された気体と液体を霧状の液体として噴射する噴出部とを備えた二流体噴霧装置において、前記気体導入管と液体導入管にそれぞれ剛性を有する配管が接続され、それらの配管には、それぞれ、軸を有し、かつその軸に取り付けられた操作レバーによって同時に回動操作されて各配管の管路を開閉する開閉弁が設けられているので、二流体噴霧装置の人手による支持が確実に行え、操作がし易く、消火作業を迅速、的確に行うことができる。
【００２４】
請求項２に係る二流体噴霧装置によれば、各配管が、途中が下側へ鈍角に折り曲げられ、この折り曲げ部より下流側の先端管と上流側の基端管とからなっているので、二流体噴霧装置に連絡される気体ホースと液体ホースが垂れ下がっても、その垂れ下がりを前記各配管の基端管の傾斜で無理なく許容することができ、二流体消火装置を手で楽に支持して火災の状況に応じて自由に操作することができる。
【００２５】
請求項３に係る二流体噴霧装置によれば、開閉弁が各配管の先端管の折り曲げ部に近い位置に設けられているので、一方の片手で二流体噴霧装置を支持した状態で、前記先端管を支持する片手を介して操作レバーを操作することによって、開閉弁を容易に開閉させることができて、操作性がよい。
【図面の簡単な説明】
【図１】  本発明に係る二流体噴霧装置の一実施の形態の一部を断面で示した側面図である。
【図２】  本発明に係る二流体噴霧装置の一実施の形態を示す平面図である。
【図３】  本発明に係る二流体噴霧装置を使用する二流体消火装置の第１例を示す斜視図である。
【図４】  同じく第２例を示す斜視図である。
【図５】  同じく第３例を示す斜視図である。
【図６】  同じく第４例を示す斜視図である。
【図７】  同じく第５例を示す正面図である。
【図８】  同じく第６例を示す正面図である。
【図９】  従来の二流体噴霧装置を使用した二流体消火装置を示す系統図である。
【符号の説明】
１  二流体噴霧装置
２  気液混合部
３  噴出部
４  気体配管（配管）
４ａ，５ａ  折り曲げ部
４ｂ，５ｂ  傾斜管部（基端管）
４ｃ，５ｃ  水平管部（先端管）
５  液体配管（配管）
６，７  開閉弁
８  混合部本体
９  気体導入管
１０  液体導入管
１１，１２  管継手
１３  操作レバー
【図１】
0003727880.tif 000002
【図２】
0003727880.tif 000003
【図３】
0003727880.tif 000004
【図４】
0003727880.tif 000005
【図５】
0003727880.tif 000006
【図６】
0003727880.tif 000007
【図７】
0003727880.tif 000008
【図８】
0003727880.tif 000009
【図９】
0003727880.tif 000010